(57)【特許請求の範囲】
【請求項１】
透水性トップシート、不透水性バックシートおよび両シートの間に配設された吸収コアを備えたナプキン本体と、このナプキン本体のバックシート側に設けられた下着固定用の粘着剤層と、前記ナプキン本体の長手方向の左右の側縁から突設されると共に、下着に巻回して止着するための一対の係止片とからなる生理用ナプキンを、生理用ナプキンよりも大きい包装用シートで包装する生理用ナプキンの包装構造であって、
前記生理用ナプキンの一対の係止片を、前記ナプキン本体のトップシート側に折り返し、
前記包装用シートを、その包装用シートの一対の側縁がトップシートおよび係止片の上面に位置するように、前記ナプキン本体のバックシート側からトップシート側に折り返し、
前記包装用シートの折り返し部が対向するように、生理用ナプキンと包装用シートを幅方向中心線近傍で谷折りし、対向した前記折り返し部同士を止着したことを特徴とする生理用ナプキンの包装構造。
【請求項２】
透水性トップシート、不透水性バックシートおよび両シートの間に配設された吸収コアを備えると共にバックシート側には下着固定用の粘着剤層が設けられているナプキン本体と、このナプキン本体の長手方向の左右の側縁から突設されており、折り曲げられて下着に止着される一対の係止片とからなる生理用ナプキンを、包装用シートで包装する方法であって、
ナプキン本体の幅の１倍以上２倍以下の幅を有する包装用シート帯を連続的に走行させ、
前記包装用シート帯上に、前記生理用ナプキンを、前記粘着剤層が包装用シート面に当接するように、かつ、ナプキンの長手方向が包装用シート帯の走行方向と一致するように、１個ずつ所定間隔で載置し、
前記一対の係止片を包装用シートと一体に、生理用ナプキンのトップシート側に折り返し、
前記包装用シートの折り返し部が対向するように、生理用ナプキンと包装用シートを幅方向中心線近傍で谷折りし、
対向した前記折り返し部同士を止着することを特徴とする生理用ナプキンの包装方法。
【発明の詳細な説明】
【０００１】
【発明の属する技術分野】
本発明は、高速で包装することが可能な生理用ナプキンの包装構造および包装方法に関するものである。
【０００２】
【従来の技術】
最近、生理用ナプキンやおりもの用シート（以下、両者を代表して「生理用ナプキン」という）の中央の両側部に一対の係止片（ウイングやサイドフラップ等と呼ばれている）を備えた生理用ナプキンが市販されている。例えば図１に示した生理用ナプキン１は、不織布や開孔プラスチックフィルム等で作られている透水性シート１１、解繊パルプと高吸水性ポリマー等で作られている吸収コア１２およびプラスチックフィルムや不織布との積層シート等で作られている不透水性シート１３が積層されて構成されており、このナプキン本体１０の中央の両側部から透水性シートと不透水性シートを延在させることにより、一対の係止片１４、１４が左右に突出するように設けられている。またナプキン１のバックシート１３側には、係止片用の粘着剤層１５、１５と、下着に付着してナプキンのずれを防止するためのズレ止め粘着剤層１６が形成されている。このような係止片付きのナプキンは、着用者の下着の股下部分に左右の係止片１４、１４を下着の股下部分の非身体当接側に巻きつけて粘着剤層１５と下着を止着すると共に、下着の身体当接側とナプキン１を、ズレ止め粘着剤層１６で止着することにより、着用中のナプキンのズレを防止する効果を有するものである。
【０００３】
ところで、上記係止片やズレ止め粘着剤層は、ナプキンを高速生産した後の包装工程において問題の多い存在である。例えば市販されているナプキンの中には図１２に示すように、係止片１５、１５用の粘着剤層に剥離紙（片面もしくは両面を剥離処理したフィルムや紙）１７、１７を貼り、ズレ止め粘着剤層１６用の剥離紙１８を包装用シート２０側に固着しておき、係止片１５、１５をバックシート１３側に折り返した状態でナプキンを長手方向に３つ折りにし、１個ずつ包装する、という手段が採用されているものがある、機械的に高速で行う場合にはなかなか難しい包装方法である。他の市販品の中には、図１３（ａ）に示すように一対の係止片の粘着剤層１５、１５用の剥離紙１７を１枚で共用させる構成のものもあるが、いずれにしても係止片付きナプキンの大半は係止片をバックシート側に折り返す構成となっている。これはナプキンの中央部付近の吸収コアが肉厚に形成されていることが多く、小さな薄肉の係止片を厚みの不均一なトップシート側に折り返すのは歩留が悪いためであると考えられる。
【０００４】
係止片をバックシート側に折り返してからズレ止め用粘着剤層を形成することも考えられるが、図１３（ｂ）に示すように、粘着剤層を形成できる部分が斜線部に限られ、ズレ止めに最も有効なナプキン中央部に粘着剤層を設けることができないという欠点がある。
【０００５】
さらに最近では、使用者における剥離紙を捨てる手間を省き、かつ剥離紙のコストを削減することができるように、包装用シートに剥離処理を行って包装する傾向となっており、こういった観点からも、係止片付き生理用ナプキンの包装構造に関する改善要望が高まっていた。
【０００６】
【発明が解決しようとする課題】
そこで本発明では、生理用ナプキンを高速で包装することのできる包装構造および包装方法を提供することを課題として掲げた。
【０００７】
【課題を解決するための手段】
請求項１に記載の発明は、透水性トップシート、不透水性バックシートおよび両シートの間に配設された吸収コアを備えたナプキン本体と、このナプキン本体のバックシート側に設けられた下着固定用の粘着剤層と、前記ナプキン本体の長手方向の左右の側縁から突設されると共に、下着に巻回して止着するための一対の係止片とからなる生理用ナプキンを、生理用ナプキンよりも大きい包装用シートで包装する生理用ナプキンの包装構造であって、前記生理用ナプキンの一対の係止片を、前記ナプキン本体のトップシート側に折り返し、前記包装用シートを、その包装用シートの一対の側縁がトップシートおよび係止片の上面に位置するように、前記ナプキン本体のバックシート側からトップシート側に折り返し、前記包装用シートの折り返し部が対向するように、生理用ナプキンと包装用シートを幅方向中心線近傍で谷折りし、対向した前記折り返し部同士を止着したところに要旨を有する。係止片がトップシート側に折り返されているので、使用者が係止片の存在を確認し易く、かつ装着し易い。また、バックシート側のズレ止め粘着剤層を位置の制限なく形成できるという利点がある。さらに、剥離処理済の包装用シートを用いれば、係止片の粘着剤層、バックシート側の粘着剤層のいずれにも、離型紙を貼る必要はない。従って、簡単に、良好な歩留で、コストの削減された包装工程を高速で行うことができる。
【０００８】
さらに、前記包装用シートの止着は、包装用シートの折り返し部が対向するように、生理用ナプキンと包装用シートを幅方向中心線近傍で谷折りし、対向した前記折り返し部同士を止着する構成が採用されている。これにより、ナプキンを簡単にチューブ状に包装することができ、この後に、ナプキン長手方向に３つ折りまたは４つ折りすることにより、ナプキンの個別包装を行える。
【０００９】
また請求項２に記載の発明は、透水性トップシート、不透水性バックシートおよび両シートの間に配設された吸収コアを備えると共にバックシート側には下着固定用の粘着剤層が設けられているナプキン本体と、このナプキン本体の長手方向の左右の側縁から突設されており、折り曲げられて下着に止着される一対の係止片とからなる生理用ナプキンを、包装用シートで包装する方法であって、ナプキン本体の幅の１倍以上２倍以下の幅を有する包装用シート帯を連続的に走行させ、前記包装用シート帯上に、前記生理用ナプキンを前記粘着剤層が包装用シート面に当接するように、かつ、ナプキンの長手方向が包装用シート帯の走行方向と一致するように、１個ずつ所定間隔で載置し、前記一対の係止片を包装用シートと一体に、生理用ナプキンのトップシート側に折り返し、前記包装用シートの折り返し部が対向するように、生理用ナプキンと包装用シートを幅方向中心線近傍で谷折りし、対向した前記折り返し部同士を止着する生理用ナプキンの包装方法である。この方法は、請求項１に記載の包装構造を製造する際の最適な方法であり、係止片を包装用シート毎トップシート側に折り返して、さらに包装用シートの折り返し部が対向するように、生理用ナプキンと包装用シートを幅方向中心線近傍で谷折りし、対向した前記折り返し部同士を止着する方法であり、一層コンパクトな包装を簡単に行うことができる。
【００１０】
【発明の実施の形態】
本発明に係る包装構造（タイプ１）の最大のポイントは、ナプキン本体の両横に突設している左右の係止片と包装用シートをトップシート側に折り返し、チューブ状に包装した構成を採用したところにある。また、本発明に係る包装構造（タイプ２）の最大のポイントは、ナプキンの長手方向両端部を包装用シートと一体に、ナプキンの中央部上に折り返して、包装用シートのこの折り返し部を止着してチューブ状に包装した構成を採用したところにある。
【００１１】
本発明で包装されるナプキンは、少なくとも、図１（ａ）および（ｂ）に示したように、透水性トップシート１１、不透水性バックシート１３および両シートの間に配設された吸収コア１２を備えたナプキン本体１０と、このナプキン本体１０のバックシート１３側に設けられた下着固定用の粘着剤層１６と、前記ナプキン本体の長手方向の左右の側縁から突設されると共に、下着に巻回して止着するための一対の係止片１４、１４とからなるものである。係止片１４、１４にも、バックシート側に下着止着用の粘着剤層１５、１５が設けられている。
【００１２】
透水性トップシート１１としては、肌ざわりの良い天然繊維または合成繊維からなる不織布、微孔が多数設けられたプラスチックフィルム、フォーム状等の透水性の素材が使用でき、不透水性バックシート１３としてはプラスチックフィルムや、これと不織布の積層体等が使用できる。また吸収コア１２としては、解繊パルプ、セルロース繊維・フォーム、ビスコーススポンジ等の吸水材料や、孔吸水性ポリマー粉末、熱融着性繊維等、公知の材料が用いられる。係止片１４は、トップシート１１とバックシート１３を突設させることにより形成することができ、また例えば撥水化処理された不織布や、バックシート用の素材を利用して別体の係止片を作り、ナプキン本体１０に固着して形成してもよい。下着固定用（ズレ止め用）の粘着剤層１６、係止片用粘着剤層１５には、ホットメルト接着剤（ＳＢＳ、ＳＩＳ、ＳＥＢＳ、ＳＥＰＳ等のブロックポリマーを主体とするもの）や、その他アクリル系、ゴム系等の公知の粘着剤を用いることができる。
【００１３】
タイプ１の包装構造は、係止片をトップシート側に折り返したナプキンをチューブ状に包み込むものであり、包み方には２通りある。タイプ１のうちの第１の包装構造は、図２に示す通りである。まず、生理用ナプキンよりも大きく、かつ、ナプキン本体１０の幅Ｗ0の２倍を超える幅Ｗ1を有する包装用シート２の上に、生理用ナプキン１をバックシート側が包装用シート２に当接するように載置する。このときバックシート側にはズレ止め用粘着剤層１６が設けられているので、生理用ナプキン１は包装用シート２にしっかりと貼着され、包装中に位置ズレを起こすことはない。包装用シート２としては、厚さ５〜５０μｍ程度のポリプロピレン、ポリエチレン、ポリエステル、ポリビニルアルコール、セロハン等のフィルムや、不織布、紙（あるいはこれらの積層体）等の基材の少なくとも片面を、シリコーン樹脂、フッ素樹脂やその他公知の剥離処理剤で処理したものを使用することが好ましい。このような包装用シートを用いると、ズレ止め用粘着剤層１６、係止片用粘着剤層のいずれにも、離型紙を貼ることなく、簡単に包装することができる。なお剥離処理を施さない包装用シートを用いる場合には、若干工程が煩雑になるが、前記粘着剤層１６および係止片用粘着剤層１５に剥離処理したフィルムや紙を貼り付けてもよい。
【００１４】
包装用シート２にナプキン１を載置した後は、ナプキン本体１０の側縁に添う折り曲げ線Ｌ1によって、図２（ｂ）中、右側の係止片１４ａと包装用シート２の右側部分２１を、ナプキン１のトップシート１１上に折り返す。次いで、（ｃ）に示すように、左側の係止片１４ｂを包装用シートの左側部分２３と共に、折り曲げ線Ｌ2で（ｂ）と同様に折り返す。このとき、包装用シート２の幅Ｗ1は、ナプキン本体１０の幅Ｗ0の２倍を超えているので、折り返した包装用シート２１、２３の側縁は、図３の断面図（図２（ｃ）のIII-III線拡大断面図）全紙で示すように、重なり合うこととなる。この側縁の重なり部分、図２の（ｃ）における斜線部を接着剤で接着したり、ヒートシールする等の手段で止着することによって、チューブ状包装が完成する。なお、吸収コアの厚みが厚いときは、これらの側縁が重なるように包装用シート２の幅Ｗ1を調整することが好ましい。
【００１５】
折り曲げ線Ｌ1、Ｌ2は、ナプキン本体１０の側縁に接していても、またナプキン本体１０上にあってもよい。折り曲げ線Ｌ1、Ｌ2がナプキン本体１０上にあるときは、ナプキン本体と係止片を一緒に折り曲げればよく、このときは包装用シートの幅がナプキン本体の幅の２倍以下であってもよい。しかし、包装工程の作業性を考慮すると、上記図２のように、折り曲げ線Ｌ1、Ｌ2がナプキン本体１０の側縁近傍にあって、係止片のみを包装用シートと折り返す構成が最も好ましい。
【００１６】
あとは、ナプキン長手方向の端縁近傍をヒートシールや接着剤で接着することによって密封し、この密封の前、同時あるいは後に、ナプキンを長手方向に２つ折り、３つ折りあるいは４つ折りすれば、ナプキンの個別包装が完成する。長手方向に折った状態を維持するために、テープで止めてもよい。
【００１７】
一方、タイプ１の第２の包装構造は、図４に示す通りである。図４の（ａ）では、図２の（ａ）と同様にして、包装用シート２の上にナプキン１を載置する。図４においては、包装用シートの幅Ｗ2はナプキン本体１０の幅Ｗ0の２倍以下であることが好ましい。図４の（ｂ）においても図２の（ｂ）と同様、右側の係止片１４ａと包装用シート２の右側部分２１を、ナプキン１のトップシート１１上に折り返す。次いで、図４の（ｃ）に示すように、左側の係止片１４ｂを包装用シートの左側部分２３と共に、折り曲げ線Ｌ2で折り返す。このとき、包装用シート２の幅Ｗ2は、ナプキン本体１０の幅Ｗ0の２倍以下であるので、包装用シートの折り返し部２１、２３は、図２のときとは異なり、Ｗ3だけ離間することとなる。このままでは、チューブ状包装とならないので、（ｄ）に示すように、生理用ナプキン１と包装用シート２を幅方向中心線Ｌ3近傍で谷折りして、包装用シートの折り返し部２１、２３を対向させ、この対向した折り返し部２１、２３同士を、例えば斜線部等の位置で、接着剤による接着またはヒートシールする等の手段で止着することによって、チューブ状包装とする。すなわち、図５の（ａ）に断面図（図４（ｃ）のＶ−Ｖ線拡大断面図）を示したように、包装用シートの折り返し部２１、２３は、Ｗ3だけ離間しているが、全体を谷折りすることにより、図５の（ｂ）（図４（ｄ）のＸ−Ｘ線拡大断面図）のように、折り返し部２１、２３が対向するので、黒矢印部分を止着すると、包装用シートの対向した折り返し部が内向きの合掌状に接合されたチューブ状包装となる。
【００１８】
本発明のタイプ１の包装方法の概略はこれまでの包装構造の説明で述べた通りであるが、以下、若干補足して説明する。タイプ１の第１の包装構造のための最適な包装方法は、図６に示すように、包装用シート帯２４を連続的に走行させ、この包装用シート帯２４上に、生理用ナプキン１を、その長手方向が走行方向と同じになるように、１個ずつ所定間隔で載置し、一対の係止片１４、１４を包装用シート帯２４毎、生理用ナプキン１のトップシート１１側に折り返し、包装用シート帯２４の折り返された一対の側縁を重ね合わせて止着するものである。包装用シート帯２４の折り返しは、上下どちらを先にしても、また同時に行ってもよい。側縁同士の止着を接着剤によって行うときは、折り返し部のいずれかまたは両方に接着剤を塗布する工程を、折り返し作業の前後または同時に行う。
【００１９】
側縁を接着してチューブ状の包装が完成した後は、隣接するナプキン１、１の間（ナプキン１の長手方向の端縁近傍であり図６中の符号２５で示される部分）を、ヒートシールや接着剤で接着する。そして、個々のナプキンを上記斜線部の中央付近で切り離す工程、必要に応じてナプキンを長手方向に折り曲げる（２つ折り、３つ折り、４つ折り等）工程等を経て、ナプキンの個別包装が完成する。長手方向に折り曲げた状態を維持するためには、接着剤等で接着するか、テープ片で止めることが好ましい。図７には、ナプキンの個別包装体をナプキンの長手方向に３つ折りし、テープ片２６で止めた状態を示した。
【００２０】
タイプ１の第２の包装構造の場合は、図４および図５で述べたように、ナプキンおよび包装用シート帯の谷折り工程と、包装用シート帯の折り返し部の止着工程が、上記図６で説明した方法に加わるだけである。
【００２１】
次に、本発明のタイプ２の包装構造について説明する。図８は、図１に示したものと同じ構造の生理用ナプキンを、トップシート１１側から図示した平面図である。図１において同じ要素を指す符号は同一符号としている。この生理用ナプキンにおいて、一対の係止片１４、１４が位置する部分をナプキンの中心部１Ｂとして、ナプキンをその長手方向両端部との３つの領域に分ける。図中、ナプキン中心部１Ｂの上側を上端部１Ａとし、中心部１Ｂより下側を下端部１Ｃとする。中心部と両端部の区別は厳密に行う必要はなく、中心部１Ｂが係止片を含んでいればよい。
【００２２】
タイプ２の包装構造は、図９に示す通りである。図８に示した生理用ナプキン１より大きい包装用シート３の上に、生理用ナプキン１をバックシート側が包装用シート３に当接するように載置する。この載置方向は、前記タイプ１と同じであり、包装用シートとして好ましい構成も前記した通りである。図９中、便宜上、包装用シートを、折り曲げ線Ｌ4より上（図では左）の部分（包装用シート上端部３Ａ）、折り曲げ線Ｌ4と折り曲げ線Ｌ5の間の部分（包装用シート中心部３Ｂ）および折り曲げ線Ｌ5より下（図では右）の部分（包装用シート下端部３Ｃ）と分けて説明する。
【００２３】
図９（ａ）に示したように包装用シート３にナプキン１を載置した後は、生理用ナプキン１の上端部１Ａと中心部１Ｂを区分けする線に沿った折り曲げ線Ｌ4によって、図９（ｂ）のように、生理用ナプキン１の上端部１Ａと、包装用シート上端部３Ａとを一体に、生理用ナプキン１の中心部１Ｂの上に折り返して重ねる。次いで、（ｃ）に示すように、生理用ナプキン１の下端部１Ｃと包装用シート下端部３Ｃと共に、折り曲げ線Ｌ5で折り返し、（ｂ）において折り返した包装用シートの上端部３Ａの上に重ねる。このように折り重ねることで、生理用ナプキン１は、３つ折り状態となっている。
【００２４】
そして、折り返された包装用シートの上端部３Ａ（折り返し部に相当）と、下端部３Ｃ（同じく折り返し部に相当）とを、接着剤で接着したり、ヒートシールする等の手段で止着することによって、チューブ状包装が完成する。２つの折り返し部は、折り曲げ線Ｌ4およびＬ5の位置設定によって、図９に示したようにほぼ全面積にわたって重なり合うような構成から、包装用シート３の両端縁近傍のみが重なり合うような構成まで適宜変更可能である。図９に示したような３つ折り状態が最もナプキンをコンパクトに折り畳めるため、好ましい構成である。なお、折り曲げ線Ｌ4、Ｌ5は、ナプキンの係止片１４を横切らないように設けることが好ましい。
【００２５】
チューブ状包装が完成した後は、図９（ｃ）の３つ折り状態のまま、包装用シートの両側縁３１、３２の近傍をヒートシールや接着剤で接着することによって密封して個装品としてもよいが、さらにコンパクトに折り畳むこともできる。図１０（ａ）には、図９（ｃ）と同じ状態のチューブ状包装品を示している。ここで、折り曲げ線Ｌ6と包装用シートの右端縁３１との間を３つ折り包装用シート右端部３Ｄとし、折り曲げ線Ｌ6と折り曲げ線Ｌ7との間を３つ折り包装用シート中心部３Ｅとし、折り曲げ線Ｌ6と包装用シートの左端縁３２との間を３つ折り包装用シート左端部３Ｆとする。なお、図１０（ａ）に示すように、折り曲げ線Ｌ6と折り曲げ線Ｌ7は、左右の係止片１４ｒと１４ｌそれぞれの基端部近傍（図２におけるナプキン本体１０より外側）とし、係止片と３つ折りされた包装用シートのみを折り返す構成を採用することが好ましい。折り曲げ線Ｌ6と折り曲げ線Ｌ7をナプキン本体上に設けても、ナプキンは既に３つ折りされていて嵩高くなっているので、折り曲げにくいからである。
【００２６】
図１０（ｂ）のように、左側の係止片１４ｌと、３つ折り包装用シート左端部３Ｆとを一体に、３つ折り包装用シート中心部３Ｅの上に折り返して重ねる。次いで、（ｃ）に示すように、右側の係止片１４ｒと、３つ折り包装用シート左端部３Ｆとを一体に、折り曲げ線Ｌ6で折り返し、（ｂ）において折り返した３つ折り包装用シート左端部３Ｄの上に重ねる。このように折り重ねることで、３つ折りされたチューブ状包装体がさらに３つ折りされることとなる。
【００２７】
そして、３つ折り包装用シートの右端縁３１を、その下側に位置する包装用シート左端部３Ｆにヒートシールや別体のテープで止める等して止着するか、３つ折りされてさらに３つ折りされた包装体の上端縁３４および下端縁３５を、ヒートシールする等の手段で止着することによって、非常にコンパクト化された包装体が完成する。３つ折り包装用シートの両端部３Ｄ、３Ｆは、図１０のように折り畳まれた生理用ナプキンの上面に位置するように折り返すのではなく、ナプキンの下面側（図の裏側方向）に向けて折り返すこともできる。
【００２８】
本発明のタイプ２の包装方法の概略はこれまでの包装構造の説明で述べた通りである。図６に示したタイプ１の包装方法とは、生理用ナプキン１の長手方向が包装用シート帯の走行方向と直交するように載置する点が異なるだけで、大きな違いはない。すなわち、タイプ２の包装方法では、図１１に示すように、連続走行する包装用シート帯３５上に、生理用ナプキン１の長手方向が包装用シート帯３５の走行方向と直交するように、ナプキンを１個ずつ所定間隔で載置する。このように載置した後は、図６の係止片と包装用シートとの折り返し工程にかえて、図９（ａ）〜（ｃ）に示した包装用シートと生理用ナプキンとの３つ折り工程を連続的に行う以外は、図６に準じて包装構造を完成させればよい。
【００２９】
【発明の効果】
本発明のタイプ１の包装構造（請求項１）は、一対の係止片付き生理用ナプキンを包装する際に、係止片をトップシート側に折り返しているので、使用者が係止片の存在を確認し易く、かつ装着し易いという効果を有する。また、タイプ２の包装構造は、生理用ナプキンを長手方向に３つ折りにした状態でチューブ状に包装することができ、簡単にコンパクトな個別包装品を得ることができる。いずれの包装構造においても、バックシート側のズレ止め粘着剤層を、係止片の存在に影響されず、位置の制限なく形成でき、かつ包装できるという利点がある。さらに、剥離処理済の包装用シートを用いれば、係止片の粘着剤層、バックシート側の粘着剤層のいずれにも、離型紙を貼る必要はない。従って本発明の包装方法（請求項２）は、簡単に、良好な歩留で、高速に連続包装が行えるので、コスト削減可能である。
【図面の簡単な説明】
【図１】  （ａ）、（ｂ）は、本発明の包装構造が適用される係止片付き生理用ナプキンの平面図である。
【図２】  （ａ）〜（ｃ）は、本発明のタイプ１の第１の包装構造の斜視説明図である。
【図３】  図２の（ｃ）のIII-III線拡大断面図である。
【図４】  （ａ）〜（ｄ）は、本発明のタイプ１の第２の包装構造の斜視説明図である。
【図５】  （ａ）は、図４の（ｃ）のＶ−Ｖ線拡大断面図、（ｂ）は図４の（ｄ）のＸ−Ｘ線拡大断面図である。
【図６】  本発明のタイプ１の包装方法を示す平面図である。
【図７】  本発明の包装方法で得られた個別包装体の斜視説明図である。
【図８】  本発明の包装構造が適用される係止片付き生理用ナプキンの平面図である。
【図９】  （ａ）〜（ｃ）は、本発明のタイプ２の包装構造の斜視説明図である。
【図１０】  （ａ）〜（ｃ）は、図８の包装構造をさらに小さくした包装構造の斜視説明図である。
【図１１】  本発明のタイプ２の包装方法を示す平面図である。
【図１２】  従来の包装構造を示す説明図である。
【図１３】  （ａ）〜（ｂ）は、従来の生理用ナプキンの平面図である。
【符号の説明】
１    生理用ナプキン
２    包装用シート
３    包装用シート
１０  ナプキン本体
１１  トップシート
１２  吸収コア
１３  バックシート
１４  係止片
１５  係止片用粘着剤層
１６  下着固定用粘着剤層
２１、２３  包装用シートの折り返し部
１Ａ  生理用ナプキン長手方向上端部
１Ｂ  生理用ナプキン長手方向中心部
１Ｃ  生理用ナプキン長手方向下端部
３Ａ  包装用シート上端部
３Ｂ  包装用シート中心部
３Ｃ  包装用シート下端部
【図１】
0004047436.tif 000002
【図２】
0004047436.tif 000003
【図３】
0004047436.tif 000004
【図４】
0004047436.tif 000005
【図５】
0004047436.tif 000006
【図６】
0004047436.tif 000007
【図７】
0004047436.tif 000008
【図８】
0004047436.tif 000009
【図９】
0004047436.tif 000010
【図１０】
0004047436.tif 000011
【図１１】
0004047436.tif 000012
【図１２】
0004047436.tif 000013
【図１３】
0004047436.tif 000014